(57)【要約】【課題】大型商業施設や遊園地など広大な施設において、子端末の所持者がはぐれたことを早期に検知し、子端末の位置を把握することにより、子端末の所持者の発見または保護を行う。【解決手段】親端末は、ネットワーク制御装置に対して子端末捜索要求メッセージを送信する。ネットワーク制御装置は、捜索情報データベースから、予め登録された捜索すべき子端末の情報を取得する。ネットワーク制御装置は、捜索依頼先データベースから、捜索を依頼すべき端末を知る。ネットワーク制御装置は、捜索を依頼すべき端末に対して、捜索要求メッセージと、子端末を所持する被捜索者の情報を一斉に送信する。【選択図】図３
2016095794.tif 000002
【特許請求の範囲】
【請求項１】
被捜索者および子端末の情報を記憶する捜索情報データベースと、捜索を依頼すべき端末ＩＤを記憶する捜索依頼先データベースと、前記捜索情報データベースから予め登録された捜索すべき子端末の情報を取得し、捜索依頼先データベースから前記捜索を依頼すべき端末ＩＤを取得するネットワーク制御装置と、を備え、
前記ネットワーク制御装置は、端末捜索要求メッセージおよび捜索すべき子端末の所持者の情報を、前記捜索を依頼すべき端末に対して一斉に送信することを特徴とする捜索システム。
【請求項２】
被捜索者および子端末の情報を記憶する捜索情報データベースと、この捜索情報データベースから予め登録された捜索すべき子端末の情報を取得するネットワーク制御装置、とを備え、
前記ネットワーク制御装置は、端末捜索要求メッセージおよび前記捜索すべき子端末の所持者の情報を、前記捜査すべき子端末が登録されている基地局に登録されている端末に対して一斉に送信することを特徴とする捜索システム。
【請求項３】
前記ネットワーク制御装置は、親端末が基地局を経て送信する子端末捜索要求メッセージを受け取ることを契機に、前記端末捜索要求メッセージおよび前記捜索すべき子端末の所持者の情報を送信することを特徴とする、請求項１または請求項２に記載の捜索システム。
【請求項４】
基地局の位置情報および基地局相互間の距離を記憶する地理情報データベースを、さらに備え、
前記地理情報データベースは、親端末が登録されている基地局と子端末が登録されている基地局との距離を検索し、
前記ネットワーク制御装置は、前記地理情報データベースから取得した前記親端末が登録されている基地局と前記捜索すべき子端末が登録されている基地局との距離が予め決められた許容値を超過したことを契機に、前記端末捜索要求メッセージおよび前記捜索すべき子端末の所持者の情報を送信することを特徴とする請求項１または請求項２に記載の捜索システム。
【請求項５】
前記親端末が基地局を経て送信する子端末捜索要求メッセージを前記親端末に関連付けて記憶するメッセージサーバを、さらに備え、
前記メッセージサーバは、前記子端末捜索要求メッセージに識別子を付与し、この識別子を使用して、前記端末捜索要求メッセージおよび前記捜査すべき子端末の所持者の情報を送信することを特徴とする請求項１または請求項２に記載の捜索システム。
【請求項６】
前記捜索依頼先データベースは、捜索を依頼すべき端末ＩＤとともに、該端末ＩＤが登録されている基地局ＩＤを同時に記憶し、
前記ネットワーク制御装置は、端末捜索要求メッセージおよび前記捜査すべき子端末の所持者の情報を、子端末が登録されている基地局ＩＤと同一の基地局ＩＤに登録されている端末に対して一斉に送信することを特徴とする請求項１に記載の捜索システム。
【発明の詳細な説明】
【技術分野】
【０００１】
本発明は、捜索システムに係り、特に特定の移動通信端末の所持者を捜索する捜索システムに関する。
【背景技術】
【０００２】
被捜索者に携帯端末（以下子端末という）を所持させ、捜索者が所持する携帯端末（以下親端末という）に子端末の位置情報を通知することができる。子端末の位置情報を通知する契機は、親端末と子端末の距離が一定以上になった場合、子端末が対象施設の圏外に出てしまった場合、または親端末からの捜索要求がある場合を含む。子端末の位置の検出には、具体的には、親端末との直接通信による測距、ＧＰＳを用いた測位、子端末が登録されている基地局または検出装置の位置情報、監視カメラ映像から抽出した顔画像情報を用いることができる。
【０００３】
特許文献１は、親端末と子端末の位置情報から、移動履歴や子端末に至る道案内を表示することができる技術を開示する。
【０００４】
特許文献２は、親端末および子端末が登録された基地局の情報から、位置情報を抽出することができる。親端末と子端末がそれぞれ登録されている基地局の距離が一定以上になったり、子端末が圏外になったりしたら親端末にメッセージを送信する技術を開示する。
【０００５】
特許文献３は、特許文献２と同様に、親端末と子端末がそれぞれ登録されている基地局の距離が一定以上になった場合、子端末が圏外になった場合、親端末にメッセージを送信する技術を開示する。
【先行技術文献】
【特許文献】
【０００６】
【特許文献１】特開２０１０−２４４２１７号公報
【特許文献２】特開２０１１−０７１９４０号公報
【特許文献３】特開２００９−００３８５２号公報
【発明の概要】
【発明が解決しようとする課題】
【０００７】
大型商業施設や遊園地など、家族連れで訪れる機会が多い広大な施設において、特に子端末の所持者に直接通話による意思疎通に困難がある場合において、子端末の所持者がはぐれたことを早期に検知し、子端末の位置をいち早く把握することにより、子端末の所持者の発見または保護を行うことが課題である。
【０００８】
特許文献１、特許文献２によると、背景技術で述べた方法で子端末の位置情報を取得できる。しかし、その情報は親端末に通知されるのみである。この場合、捜索者または代理の者が子端末の位置情報を頼りに被捜索者を探索に行く必要がある。この方法では、子端末の位置が遠隔地だった場合、何らかの事情ですぐに動けない場合、再び被捜索者を見失う可能性がある。
【０００９】
特許文献３に開示された技術は、子端末の位置情報を親端末に通知する機能に加えて、子端末の近傍に存在する予め登録された固定電話を照会できる。この場合、子端末の近傍にいる人に被捜索者の保護を求めることが可能となる。しかし、照会先があらかじめ登録された固定電話である。したがって、限られた範囲内、例えば現在いる商業施設内などで利用するにとどまる。また、近傍に固定電話が無い場所では利用できない。
【００１０】
本発明は、上記課題に鑑み、移動体通信サービスが提供される任意の地域において、子端末の近傍にいる人に被捜索者の情報を提供し、保護や介助を求めることができるシステムを提供することを目的とする。
【課題を解決するための手段】
【００１１】
本発明の移動通信端末のうち代表的なものを示せば以下のとおりである。すなわち、子端末の位置情報を取得し、その情報を親端末に通知するとともに、子端末の位置をセル範囲に持つ基地局から、あらかじめ決められた捜索依頼先の端末に対して、またはブロードキャスト方式によって、被捜索者情報を報知する。この報知は、捜索者が親端末によって被捜索者の情報をサーバに登録し、捜索要求を発することを契機に、または親端末と子端末との距離が一定以上離れたことを検知することを契機に、行われる。セル内で情報を受信した端末の所持者は、被捜索者を発見または保護した場合には親端末に通話、メールによって連絡を取る、またはサーバ上に情報を登録して、捜索者に知らせる。
【００１２】
上述した課題は、被捜索者および子端末の情報を記憶する捜索情報データベースと、捜索を依頼すべき端末ＩＤを記憶する捜索依頼先データベースと、捜索情報データベースから予め登録された捜索すべき子端末の情報を取得し、捜索依頼先データベースから捜索を依頼すべき端末ＩＤを取得するネットワーク制御装置と、を備え、ネットワーク制御装置は、端末捜索要求メッセージおよび捜索すべき子端末の所持者の情報を、捜索を依頼すべき端末に対して一斉に送信する捜索システムにより、達成できる。
【００１３】
また、被捜索者および子端末の情報を記憶する捜索情報データベースと、この捜索情報データベースから予め登録された捜索すべき子端末の情報を取得するネットワーク制御装置、とを備え、ネットワーク制御装置は、端末捜索要求メッセージおよび捜索すべき子端末の所持者の情報を、捜査すべき子端末が登録されている基地局に登録されている端末に対して一斉に送信する捜索システムにより、達成できる。
【発明の効果】
【００１４】
本発明によれば、移動体通信サービスが提供される任意の地域において、子端末の近傍にいる人に被捜索者の保護や介助を求めることができるシステムを提供する。
【図面の簡単な説明】
【００１５】
【図１】親端末および子端末の位置情報を元に親端末に情報を通知する過程を表すブロック図である。
【図２】親端末および子端末の位置情報を元に親端末に情報を通知する過程を表すシーケンス図である。
【図３】親端末からの要求を契機に子端末の近傍の移動通信端末に対して子端末捜索要求メッセージを配信する過程を表すブロック図である。
【図４】親端末からの要求を契機に子端末の近傍の移動通信端末に対して子端末捜索要求メッセージを配信する過程を表すシーケンス図である。
【図５】子端末の近傍の移動通信端末が子端末を所持する被捜索者を発見した旨を親端末に通知する過程を表すブロック図である。
【図６】子端末の近傍の移動通信端末が子端末を所持する被捜索者を発見した旨を親端末に通知する過程を表すシーケンス図である。
【図７】被捜索者および被捜索者が所持する子端末の情報、および子端末の近傍の移動通信端末の情報を、システムに登録する過程を表すブロック図である。
【図８】被捜索者および被捜索者が所持する子端末の情報、および子端末の近傍の移動通信端末の情報を、システムに登録する過程を表すシーケンス図である。
【発明を実施するための形態】
【実施例１】
【００１６】
以下、本発明の実施形態について、実施例を用い、図面を参照しながら詳細に説明する。
図１を参照して、親端末および子端末の位置情報を元に親端末に情報を通知する過程を説明する。図１において、捜索システム５００は、ネットワーク制御装置（ＮＷ制御装置）２１０と、地理情報データベース（地理情報ＤＢ）２２０と、メッセージサーバ２３０と、捜索情報ＤＢ２４０と、捜索依頼先ＤＢ２５０と、を含んで構成されている。なお、図１において、ネットワーク制御装置２１０は、メッセージサーバ２３０と、捜索依頼先ＤＢ２５０と、は接続されていない。しかし、これは、説明の都合であって、実際には接続されている。
【００１７】
ネットワーク制御装置２１０は、移動体通信基地局（基地局）２００と、地理情報ＤＢ２２０と、メッセージサーバ２３０と、捜索情報ＤＢ２４０と、捜索依頼先ＤＢ２５０と、接続されている。地理情報ＤＢ２２０は、全ての基地局が位置する座標と、基地局相互間の距離を登録する。地理情報ＤＢ２２０は、ネットワーク制御装置２１０からの要求に応じ、登録内容を提供する。メッセージサーバ２３０は、ネットワーク制御装置２１０からの要求に応じ、ネットワーク制御装置２１０が受信したメッセージと送信元の親端末１００のＩＤを保存する。メッセージサーバ２３０は、メッセージを識別するためのＩＤを付与する。メッセージサーバ２３０は、ネットワーク制御装置２１０に対してメッセージの配信を要求する。捜索情報ＤＢ２４０は、被捜索者の写真、身長、体重を含む特徴と、子端末１２０の端末ＩＤ、許容できる親端末１００と子端末１２０との距離と、を登録する。捜索情報ＤＢ２４０は、ネットワーク制御装置２１０からの要求に応じ、登録内容を提供する。捜索依頼先ＤＢ２５０は、被捜索者の捜索を要求すべき端末１３０の端末ＩＤおよび端末１３０登録されている基地局２００のＩＤ情報が登録されている。捜索依頼先ＤＢ２５０は、ネットワーク制御装置２１０からの要求に応じ、登録内容を提供する。
【００１８】
親端末１００は、基地局２００−Ｐに登録されている。また被捜索者が所持する子端末１２０は、基地局２００−Ｃに登録されている。ネットワーク制御装置２１０は、基地局２００から、特定の端末が登録されているか否かを調べる。
【００１９】
図２を参照して、位置情報取得の処理を説明する。図２において、親端末１００は、基地局２００−Ｐに端末登録する（Ｓ１００）。子端末１２０は、基地局２００−Ｃに端末登録する（Ｓ１１０）。基地局２００−Ｐは、ネットワーク制御装置２１０に対して、親端末１００を登録していることを通知する（Ｓ１２０）。
【００２０】
ネットワーク制御装置２１０は、捜索情報データベース２４０に対して、捜索すべき子端末の情報を要求する（Ｓ１３０）。その際、ネットワーク制御装置２１０は親端末１００の端末ＩＤを送信する。捜索情報データベース２４０は、その端末ＩＤに関連付けられた子端末１２０およびその端末を所持する被捜索者の情報を検索する。捜索情報データベース２４０は、ネットワーク制御装置２１０に対して、端末ＩＤに関連付けられた子端末１２０の端末ＩＤおよび被捜索者の情報を通知する（Ｓ１４０）。
【００２１】
ネットワーク制御装置２１０は、通知された子端末１２０が登録されている基地局を検索し、該当する基地局２００−Ｃに対して、子端末１２０の端末ＩＤを要求する（Ｓ１５０）。基地局２００−Ｃは、子端末１２０の端末ＩＤをネットワーク制御装置２１０に対して通知する（Ｓ１６０）。ネットワーク制御装置２１０は、地理情報データベース２２０に対して基地局２００−ＰのＩＤを通知する（Ｓ１７０）。ネットワーク制御装置２１０は、地理情報データベース２２０に対して基地局２００−ＣのＩＤを通知する（Ｓ１８０）。
【００２２】
ネットワーク制御装置２１０は、地理情報データベース２２０から基地局２００−Ｃの位置情報を取得し、基地局２００−Ｐを経て親端末１００に通知する（Ｓ１９０）。なお、ステップＳ１９０は、正確には地理情報データベース２２０が送信するステップ、ネットワーク制御装置２１０が送信するステップ、基地局２００−Ｐが送信するステップ、の３ステップである。図２の矢印３つは、それを意味する。これは、以下のシーケンス図において、同様である。
ネットワーク制御装置２１０は、地理情報データベース２２０から基地局２００−Ｐと基地局２００−Ｃとの間の距離を受信し、基地局２００−Ｐを経て親端末１００に通知する（Ｓ２００）。
【００２３】
以上の処理により、親端末１００および子端末１２０の位置情報を元に、親端末１００に対して子端末１２０の位置情報および親端末１００と子端末１２０との距離を通知する。すなわち、親は、被捜索者のおおよその位置を把握することができる。
【００２４】
図３を参照して、親端末からの要求を契機に子端末の近傍の移動通信端末に対して子端末捜索要求メッセージを配信する処理を説明する。図３において、ネットワーク制御装置２１０は、親端末１００から基地局２００−Ｐを経てメッセージを受信する。ネットワーク制御装置２１０は、また基地局２００−Ｃを経て子端末１２０の近傍にある移動通信端末（以下端末という）１３０−Ａ、１３０−Ｂ、１３０−Ｃにメッセージを送信する。端末１３０と記載するときは、端末１３０を区別する必要がないことを意味する。
【００２５】
メッセージサーバ２３０は、ネットワーク制御装置２１０からの要求に応じ、ネットワーク制御装置２１０が受信したメッセージと送信元の親端末１００のＩＤを保存する。メッセージサーバ２３０は、メッセージを識別するためのＩＤを付与する。メッセージサーバ２３０は、またネットワーク制御装置２１０に対してメッセージの配信を要求する。
【００２６】
捜索情報データベース２４０は、ネットワーク制御装置２１０からの要求に応じ、登録されている被捜索者の写真、身長、体重を含む特徴、所持する子端末１２０の端末ＩＤ、許容できる親端末１００と子端末１２０との距離を提供する。
【００２７】
捜索依頼先データベース２５０は、被捜索者の捜索を要求すべき端末１３０の端末ＩＤ、端末１３０が登録されている基地局２００−ＣのＩＤ情報が登録されている。捜索依頼先データベース２５０は、ネットワーク制御装置２１０からの要求に応じ、登録内容を提供する。
【００２８】
図４を参照して、協力者端末に対する捜索依頼の処理を説明する。図４において、親端末１００は、基地局２００−Ｐを経てネットワーク制御装置２１０に対して子端末捜索要求メッセージを送信する（Ｓ３００）。
【００２９】
ネットワーク制御装置２１０は、メッセージサーバ２３０にメッセージを登録する（Ｓ３１０）。その際、メッセージサーバ２３０は、親端末１００の端末ＩＤをメッセージとともに登録し、メッセージの送信者を識別できるようにする。
【００３０】
メッセージサーバ２３０は、メッセージに固有のＩＤを付与するとともに、ネットワーク制御装置２１０に対してメッセージの配信を要求する（Ｓ３２０）。
【００３１】
ネットワーク制御装置２１０は、捜索情報データベース２４０に対して、捜索すべき子端末の情報を要求する（Ｓ３３０）。その際、ネットワーク制御装置２１０は、親端末１００の端末ＩＤを送信する。捜索情報データベース２４０は、親端末の端末ＩＤに関連付けられた子端末１２０およびその所持する被捜索者の情報を検索する。捜索情報データベース２４０は、ネットワーク制御装置２１０に対して、端末ＩＤに関連付けられた子端末１２０の端末ＩＤおよび子端末１２０を所持する被捜索者の情報を通知する（Ｓ３４０）。
【００３２】
ネットワーク制御装置２１０は、捜索依頼先データベース２５０に対して、捜索を依頼すべき端末の検索を要求する（Ｓ３５０）。その際、ネットワーク制御装置２１０は、子端末１２０が登録されている基地局２００−ＣのＩＤを送信する。捜索情報データベース２４０は、そのＩＤから基地局２００−Ｃに登録されている端末の情報を検索する。
【００３３】
捜索依頼先データベース２５０は、ネットワーク制御装置２１０に対して、捜索を依頼すべき端末１３０−Ａ、１３０−Ｂ、１３０−Ｃの端末ＩＤを通知する（Ｓ３６０）。
【００３４】
ネットワーク制御装置２１０は、基地局２００−Ｃに、端末１３０の端末ＩＤ、捜索要求メッセージおよびそのＩＤと、子端末１２０を所持する被捜索者の情報を送信する（Ｓ３７０）。基地局２００−Ｃは、端末１３０−Ａ、１３０−Ｂ、１３０−Ｃに対して捜索要求メッセージ捜索要求メッセージおよびそのＩＤと、子端末１２０を所持する被捜索者の情報を一斉に送信する（Ｓ３８０）。
【００３５】
以上の処理により、親端末１００から送信された子端末捜索要求メッセージと子端末１２０およびその所持する被捜索者の情報を、子端末１２０が登録されている基地局２００−Ｃに登録されている複数の端末１３０に対して一斉に送信することができる。また、メッセージサーバ２３０が、親端末１００の端末ＩＤをメッセージに固有のＩＤに置き換えているので、端末１３０は、捜索依頼元を知ることがない。
【００３６】
図５を参照して、子端末の近傍の移動通信端末が子端末を所持する被捜索者を発見した旨を親端末に通知する処理を説明する。図５において、子端末１２０の近傍の端末１３０−Ｃの所有者は、被捜索者を捜索し、発見する。
【００３７】
端末１３０−Ｃは、基地局２００−Ｃを介して、メッセージを送信する。ネットワーク制御装置２１０は、端末１３０−Ｃからメッセージを受信する。ネットワーク制御装置２１０は、また基地局２００−Ｐを経て親端末１００にメッセージを送信する。
地理情報データベース２２０は、全ての基地局が位置する座標と、基地局相互間の距離が登録されている。地理情報データベース２２０は、ネットワーク制御装置２１０からの要求に応じ、登録内容を提供する。
【００３８】
メッセージサーバ２３０は、ネットワーク制御装置２１０からの要求に応じ、メッセージを識別するＩＤから送信元の親端末１００のＩＤを検索する。メッセージサーバ２３０は、ネットワーク制御装置２１０に検索結果を提供する。
【００３９】
図６を参照して、子端末の近傍の移動通信端末が子端末を所持する被捜索者を発見した旨を親端末に通知するシーケンスを説明する。図６において、子端末１２０の近傍にある端末１３０のうち、端末１３０−Ｃの所有者が被捜索者を発見する。端末１３０−Ｃは、基地局２００−Ｃを経てネットワーク制御装置２１０に対して子端末発見メッセージを送信する（Ｓ５００）。この際、端末１３０−Ｃは、親端末１００を識別するため、子端末捜索要求メッセージＩＤを同時に送信する。
【００４０】
ネットワーク制御装置２１０は、地理情報データベース２２０に対して、端末１３０−Ｃが登録されている基地局２００−Ｃの情報を要求する（Ｓ５１０）。その際、ネットワーク制御装置２１０は、基地局２００−ＣのＩＤを通知する。地理情報データベース２２０は、ネットワーク制御装置２１０に対して、基地局２００−Ｃの位置情報を通知する（Ｓ５２０）。ネットワーク制御装置２１０は、メッセージサーバ２３０に対して、捜索を依頼した親端末の情報を要求する（Ｓ５３０）。その際、ネットワーク制御装置２１０はメッセージＩＤを送信する。メッセージサーバ２３０は、そのＩＤに関連付けられたメッセージの情報を検索し、同メッセージに関連付けられた端末ＩＤから、親端末１００を特定する。
【００４１】
メッセージサーバ２３０は、ネットワーク制御装置２１０に対して、親端末１００の端末ＩＤを通知する（Ｓ５４０）。ネットワーク制御装置２１０は、基地局２００−Ｐを経て親端末１００に対して子端末発見メッセージと基地局２００−Ｃの位置情報を通知する（Ｓ５５０）。
【００４２】
以上の処理により、親端末１００に対して、子端末発見メッセージと、被捜索者を発見した端末１３０−Ｃが登録されている基地局２００−Ｃの位置情報を通知することができる。
なお、運用に先立ち、親端末１００は、被捜索者と被捜索者が所持する子端末１２０に関する情報を、捜索情報データベース２４０に登録しておく。また、子端末１２０の近傍にある端末１３０がいずれの基地局に登録されているのかを、捜索依頼先データベース２５０に登録しておく。
【００４３】
図７を参照して、被捜索者および被捜索者が所持する子端末の情報および子端末の近傍の移動通信端末の情報を、システムに登録する処理を説明する。図７において、ネットワーク制御装置２１０は、親端末１００から基地局２００−Ｐを経てメッセージを受信する。ネットワーク制御装置２１０は、メッセージを捜索情報データベース２４０に登録するよう要求する。
【００４４】
捜索情報データベース２４０は、ネットワーク制御装置２１０からの要求に応じ、被捜索者の写真、身長、体重を含む特徴と、所持する子端末１２０の端末ＩＤ、許容できる親端末１００と子端末１２０との距離を登録する。
【００４５】
ネットワーク制御装置２１０は、捜索依頼先データベース２５０にあらかじめ登録されている端末１３０から基地局２００−Ｃを経てメッセージを受信する。ネットワーク制御装置２１０は、受信メッセージを捜索依頼先データベース２５０に登録するよう要求する。捜索依頼先データベース２５０は、ネットワーク制御装置２１０からの要求に応じ、端末１３０の端末ＩＤ、登録されている基地局２００−ＣのＩＤを登録する。
【００４６】
図８を参照して、被捜索者および被捜索者が所持する子端末の情報および子端末の近傍の移動通信端末の情報を、システムに登録するシーケンスを説明する。図８において、親端末１００は、基地局２００−Ｐを経てネットワーク制御装置２１０に子端末の情報の登録を要求するメッセージを送信する（Ｓ７００）。情報の内容は、被捜索者の写真、身長、体重を含む特徴、所持する子端末１２０の端末ＩＤ、許容できる親端末１００と子端末１２０との距離である。
【００４７】
ネットワーク制御装置２１０は、メッセージの内容を捜索情報データベース２４０に登録するよう要求する。捜索情報データベース２４０は、メッセージの内容を登録する（Ｓ７１０）。捜索情報データベース２４０は、メッセージの内容を登録した旨、ネットワーク制御装置２１０、基地局２００−Ｐを経て親端末１００に通知する（Ｓ７２０）。
【００４８】
一方、端末１３０−Ａ、１３０−Ｂ、１３０−Ｃは、基地局２００−Ｃに端末登録する（Ｓ７３０）。基地局２００−Ｃは、ネットワーク制御装置２１０に対して端末１３０−Ａ、１３０−Ｂ、１３０−Ｃが自身に登録されていることを通知する（Ｓ７４０）。
【００４９】
ネットワーク制御装置２１０は、捜索依頼先データベース２５０に対して端末１３０−Ａ、１３０−Ｂ、１３０−Ｃの端末ＩＤを通知する（Ｓ７５０）。捜索依頼先データベース２５０は、端末１３０−Ａ、１３０−Ｂ、１３０−Ｃが捜索依頼先として登録されていれば、その旨をネットワーク制御装置２１０に通知する（Ｓ７６０）。ネットワーク制御装置２１０は、捜索依頼先データベース２５０に対して、基地局２００−ＣのＩＤを送信し、端末１３０−Ａ、１３０−Ｂ、１３０−Ｃが登録されている基地局のＩＤを基地局２００−ＣのＩＤに更新する（Ｓ７７０）。
【００５０】
以上の処理により、ネットワーク制御装置２１０は、被捜索者と被捜索者が所持する子端末１２０に関する情報を捜索情報データベース２４０に登録する。また、ネットワーク制御装置２１０は、子端末１２０の近傍にある端末１３０がいずれの基地局に登録されているのかを、捜索依頼先データベース２５０に登録しておく。
【実施例２】
【００５１】
実施例１において、図４における処理を以下に示すように変更することにより、捜索を要求すべき端末１３０を、予め捜索依頼先データベース２５０に登録された端末に限定すること無く、基地局２００−Ｃに登録された全ての端末に広げることができる。
【００５２】
すなわち、図４において、ステップＳ３５０およびステップＳ３６０の過程を省略し、ネットワーク制御装置２１０は、基地局２００−Ｃを経て基地局２００−Ｃに登録された全ての端末に対して、捜索要求メッセージおよびそのＩＤと、子端末１２０を所持する被捜索者の情報を一斉に送信する（ブロードキャスト送信する）ことも可能である。
【００５３】
以上の処理により、ネットワーク制御装置２１０は、親端末１００から送信された子端末捜索要求メッセージと子端末１２０およびその所持する被捜索者の情報を、子端末１２０が登録されている基地局２００−Ｃに登録されている全ての端末に対して一斉に送信することができる。
【実施例３】
【００５４】
実施例１において、図２および図４における処理を以下に示すように変更することにより、親端末１００が基地局２００−Ｐを経てネットワーク制御装置２１０に対して子端末捜索要求メッセージを送信すること無く、子端末捜索要求メッセージについて自動的に捜索を要求すべき端末１３０に送信することができる。
【００５５】
すなわち、図２において、ステップＳ１４０にて、捜索情報データベース２４０は、ネットワーク制御装置２１０に対して、端末ＩＤに関連付けられた子端末１２０の端末ＩＤおよびその所持する被捜索者の情報とともに、許容できる親端末１００と子端末１２０との距離を通知する。
【００５６】
図４において、ステップＳ３００の過程を省略し、ネットワーク制御装置２１０は、図２のステップＳ２００において取得した地理情報データベース２２０から取得した基地局２００−Ｐと基地局２００−Ｃとの間の距離が、図２のステップＳ１４０において取得した許容できる親端末１００と子端末１２０との距離を超過したときに、ステップＳ３１０以降を実行することも可能である。
【００５７】
以上の処理により、親端末１００が子端末捜索要求メッセージを送信すること無く、ネットワーク制御装置２１０は、子端末１２０が登録されている基地局２００−Ｃに登録されている端末１３０に対して一斉に送信することができる。
【符号の説明】
【００５８】
１００…親端末、１２０…子端末、１３０…移動通信端末、２００…移動体通信基地局、２１０…ネットワーク制御装置、２２０…地理情報データベース、２３０…メッセージサーバ、２４０…捜索情報データベース、２５０…捜索依頼先データベース、５００…捜索システム。
【図１】
2016095794.tif 000003
【図２】
2016095794.tif 000004
【図３】
2016095794.tif 000005
【図４】
2016095794.tif 000006
【図５】
2016095794.tif 000007
【図６】
2016095794.tif 000008
【図７】
2016095794.tif 000009
【図８】
2016095794.tif 000010